(57)【要約】【課題】  ボウル部の棚部上を流れる洗浄水がリム部側に膨らみにくく、洗浄水をスムーズに旋回させることができ、小便がリム部の内周面に沿って駆け上がってボウル部の外部へ飛び出すことを抑制することができる水洗大便器を提供する。【解決手段】  ボウル部は、汚物受け面の上縁部とリム部の下端部との間にリム吐水部から周方向に形成され且つリム吐水部から吐水された洗浄水を周方向に導く棚部と、棚部の外縁部とリム部の下端部との間を曲面にて連結する連結部と、を備えており、連結部は、その曲面の上下方向の曲率半径がボウル部の前部から左右両側に亘ってほぼ一定に設定され、棚部は、ボウル部内の外側から内側に向かって下り傾斜する傾斜面を備えており、この傾斜面の傾斜角度は、ボウル部の左右両側から前方に位置するにつれて大きくなるように設定されている水洗大便器である。【選択図】  図４
2018048501.tif 000002
【特許請求の範囲】
【請求項１】
洗浄水源から供給される洗浄水によって洗浄されて汚物を排出する水洗大便器であって、
ボウル形状の汚物受け面と、この汚物受け面の上縁部に形成されるリム部と、を備えたボウル部と、
このボウル部の下方に接続されて汚物を排出する排水路と、
上記リム部に設けられて上記ボウル部内に洗浄水を吐水して旋回流を形成するリム吐水部と、を有し、
上記ボウル部は、さらに、上記汚物受け面の上縁部と上記リム部の下端部との間に上記リム吐水部から周方向に形成され且つ上記リム吐水部から吐水された洗浄水を周方向に導く棚部と、この棚部の外縁部と上記リム部の下端部との間を曲面にて連結する連結部と、を備えており、
上記連結部は、その曲面の上下方向の曲率半径が上記ボウル部の前部から左右両側に亘ってほぼ一定に設定され、
上記棚部は、上記ボウル部内の外側から内側に向かって下り傾斜する傾斜面を備えており、この傾斜面の傾斜角度は、上記ボウル部の左右両側から前方に位置するにつれて大きくなるように設定されている水洗大便器。
【請求項２】
上記リム部は、その内周面が立ち上がる立壁面を形成し、上記立壁面は、上記リム部の内周面の上側領域及び下側領域をそれぞれ形成する上側立壁面及び下側立壁面を備えており、上記下側立壁面の上下方向の曲率半径は、上記ボウル部の左右両側から前方に位置するにつれて小さくなるように設定されている請求項１記載の水洗大便器。
【請求項３】
上記立壁面の高さは、上記ボウル部の左右両側から前方に位置するにつれて高くなるように設定されている請求項２記載の水洗大便器。
【発明の詳細な説明】
【技術分野】
【０００１】
本発明は、洗浄水源から供給される洗浄水によって洗浄されて汚物を排出する水洗大便器に関する。
【背景技術】
【０００２】
従来から、洗浄水源から供給される洗浄水によって洗浄されて汚物を排出する水洗大便器として、例えば、特許文献１に記載されているように、便器本体のボウル部のリム部の内周面を形成する立壁部と汚物受け面とを連結する連結部において、特に、小便がぶつかりやすいボウル部の前側領域の左右中央部付近の連結部について、小便が滞留することを抑えるために、連結部の上下方向の曲率半径がボウル部の前側領域の左右中央で最大となり、左右両側にかけて徐々に小さくなるものが知られている。
【先行技術文献】
【特許文献】
【０００３】
【特許文献１】特開２０１６−４１８７９号公報
【発明の概要】
【発明が解決しようとする課題】
【０００４】
しかしながら、上述した特許文献１に記載されている従来の水洗大便器では、ボウル部のリム部の内周側が縁のない形状であるため、ボウル部内に吐水されて旋回する洗浄水や小便がボウル部の外部に飛び出すこともあり得るという問題がある。
また、上述した従来の水洗大便器では、ボウル部内の立壁部の領域と洗浄水が旋回する旋回領域との境界や棚部等がないため、特に連結部の上下方向の曲率半径の変化に伴い、旋回水が立壁部側に膨らんでボウル部の外部に飛び出すおそれ、若しくは旋回水が１周回りきれずにボウル部側に落ちて、洗浄が不十分になるおそれがあるという問題がある。
【０００５】
本発明は、上述した問題を解決するためになされたものであり、ボウル部の棚部上を流れる洗浄水がリム部側に膨らみにくく、洗浄水をスムーズに旋回させることができ、小便がリム部の内周面に沿って駆け上がってボウル部の外部へ飛び出すことを抑制することができる水洗大便器を提供することを目的としている。
【課題を解決するための手段】
【０００６】
本発明は、洗浄水源から供給される洗浄水によって洗浄されて汚物を排出する水洗大便器であって、ボウル形状の汚物受け面と、この汚物受け面の上縁部に形成されるリム部と、を備えたボウル部と、このボウル部の下方に接続されて汚物を排出する排水路と、リム部に設けられてボウル部内に洗浄水を吐水して旋回流を形成するリム吐水部と、を有し、ボウル部は、さらに、汚物受け面の上縁部とリム部の下端部との間にリム吐水部から周方向に形成され且つリム吐水部から吐水された洗浄水を周方向に導く棚部と、この棚部の外縁部とリム部の下端部との間を曲面にて連結する連結部と、を備えており、連結部は、その曲面の上下方向の曲率半径がボウル部の前部から左右両側に亘ってほぼ一定に設定され、棚部は、ボウル部内の外側から内側に向かって下り傾斜する傾斜面を備えており、この傾斜面の傾斜角度は、ボウル部の左右両側から前方に位置するにつれて大きくなるように設定されている水洗大便器である。
【０００７】
このように構成された本発明においては、リム吐水部から吐水された洗浄水は、棚部上に沿って流れることによりボウル部の周方向に導かれて旋回する流れ（旋回流）を形成する。この際、ボウル部の棚部の外縁部とリム部の下端部との間を曲面にて連結する連結部について、その曲面の曲率半径がボウル部の前部から左右両側に亘ってほぼ一定に設定されていることにより、ボウル部の棚部の外縁部とリム部の下端部との間を比較的小さな曲率半径で接続することができる。また、棚部がボウル部内の外側から内側に向かって下り傾斜する傾斜面を備えており、この傾斜面の傾斜角度がボウル部の左右両側から前方に位置するにつれて大きくなるように設定されている。したがって、ボウル部の棚部上を流れる洗浄水がリム部側に膨らみにくく、洗浄水をスムーズに旋回させることができる。よって、洗浄水がボウル部の外部へ飛び出すことを抑制することができ、或いは、洗浄水が十分に旋回しきれずにボウル部の内側に流れ落ちてしまうことを抑制することができる。
また、例えば、小便がぶつかりやすいボウル部の前方において、小便がボウル部の連結部等にぶつかった場合においても、ボウル部の前方において棚部の傾斜面の傾斜角度が大きくなるように設定されていることにより、小便が滞留しにくく、ボウル部の内側に流下させることができるため、小便がボウル部の前方の立壁面を駆け上がってボウル部の外部へ飛び出すことを効果的に抑制することができる。
【０００８】
本発明において、好ましくは、上記リム部は、その内周面が立ち上がる立壁面を形成し、上記立壁面は、上記リム部の内周面の上側領域及び下側領域をそれぞれ形成する上側立壁面及び下側立壁面を備えており、上記下側立壁面の上下方向の曲率半径は、上記ボウル部の左右両側から前方に位置するにつれて小さくなるように設定されている。
【０００９】
このように構成された本発明においては、立壁面がリム部の内周面の上側領域及び下側領域をそれぞれ形成する上側立壁面及び下側立壁面を備えており、下側立壁面の曲率半径がボウル部の左右両側から前方に位置するにつれて小さくなるように設定されていることにより、さらにボウル部の棚部上を流れる洗浄水がリム部側に膨らみにくく、より確実に洗浄水をスムーズに旋回させることができる。
また、特に、小便がぶつかりやすいボウル部の前方の立壁面における下側立壁面の曲率半径が小さくなるように設定されているため、小便がボウル部の前方の立壁面の下側立壁面から上側立壁面を駆け上がってボウル部の外部へ飛び出すことをより効果的に抑制することができる。
【００１０】
本発明において、好ましくは、上記立壁面の高さは、上記ボウル部の左右両側から前方に位置するにつれて高くなるように設定されている
【００１１】
このように構成された本発明においては、立壁面の高さがボウル部の左右両側から前方に位置するにつれて高くなるように設定されていることにより、ボウル部の棚部上を流れる洗浄水がさらにリム部側に膨らみにくく、洗浄水をよりスムーズに旋回させることができる。
また、特に、小便がぶつかりやすいボウル部の前方の立壁面の高さが高くなるように設定されているため、小便がボウル部の前方の立壁面を駆け上がってボウル部の外部へ飛び出すことをより効果的に抑制することができる。
【発明の効果】
【００１２】
本発明の水洗大便器によれば、ボウル部の棚部上を流れる洗浄水がリム部側に膨らみにくく、洗浄水をスムーズに旋回させることができ、小便がリム部の内周面に沿って駆け上がってボウル部の外部へ飛び出すことを抑制することが可能となる。
【図面の簡単な説明】
【００１３】
【図１】本発明の一実施形態に係る水洗大便器の便器本体の中央側面断面図。
【図２】本発明の一実施形態に係る水洗大便器の便器本体の平面図。
【図３】本発明の一実施形態に係る水洗大便器の便器本体について斜め後方から見た斜視図。
【図４】図２のＡ−Ａ線に沿った断面図。
【図５】図２のＢ−Ｂ線に沿った断面図。
【図６】図２のＣ−Ｃ線に沿った断面図。
【図７】図２のＤ−Ｄ線に沿った断面図。
【発明を実施するための形態】
【００１４】
以下、図面を参照して本発明の一実施形態に係る水洗大便器について説明する。
まず、図１は本発明の一実施形態に係る水洗大便器の便器本体の中央側面断面図であり、図２は本発明の一実施形態に係る水洗大便器の便器本体の平面図であり、図３は本発明の一実施形態に係る水洗大便器の便器本体について斜め後方から見た斜視図である。
【００１５】
図１〜図３に示すように、本発明の一実施形態による水洗大便器１は、陶器製の便器本体２を備えている。
ここで、図１〜図３に示す本実施形態の水洗大便器１においては、便器本体２の上面に便座及び便蓋が設けられていると共に、その後方側には、使用者の局部を洗浄する衛生洗浄部や便器本体２への給水機能に関与する給水系機能部等の機能部等が設けられているが、これらについては図示せず、説明を省略する。
【００１６】
また、図１〜図３に示すように、便器本体２は、ボウル形状の汚物受け面４と、この汚物受け面４の上縁部に形成される棚部６と、この棚部６の外縁部から立ち上がるように形成されたリム部８とからなるボウル部１０を備えている。
さらに、図１に示すように、便器本体２は、ボウル部１０の下方に入口部１２ａが接続されて、ボウル部１０内の汚物を排出する排水路である排水トラップ管路１２を備えている。
ここで、図１及び図２に示す本発明の第１実施形態による水洗大便器１においては、便器本体２のボウル部１０の平面視における水平左右方向の中心軸線を「Ｘ」で示し、水平前後方向の中心軸線を「Ｙ」で示し、ボウル部１０の中心Ｏを通る鉛直方向の中心軸線「Ｚ」で示している。
また、図２に示すように、水洗大便器１の前後左右の方向については、「前」、「後」、「左」、「右」でそれぞれ示している。
そして、図１及び図２に示すように、水洗大便器１のボウル部１０における中心Ｏ、水平左右方向の中心軸線Ｘ、及び鉛直方向の中心軸線Ｚに対して、前方側、後方側のそれぞれの領域について、「前方側領域Ｆ」、「後方側領域Ｂ」とそれぞれ定義している。
さらに、図２に示すように、水洗大便器１のボウル部１０における中心Ｏ、水平前後方向の中心軸線Ｙに対して、前方から見て左側、右側のそれぞれの領域について、「左側領域Ｌ」、「右側領域Ｒ」とそれぞれ定義している。
【００１７】
つぎに、図１〜図３に示すように、ボウル部１０の前方側領域Ｆ内の左右の一方の側のリム部８、すなわち、便器本体２の前方から見てボウル部１０の前方側領域Ｆ内の右側領域Ｒのリム部８の内周側には、ボウル部１０内に洗浄水を後方に吐水して旋回流を形成するリム吐水部の一部として機能する単一のリム吐水口１４が形成されている。すなわち、この単一のリム吐水口１４は、リム部８の内周側の全周における前方側領域Ｆ且つ右側領域Ｒの一部分に設けられた唯一の吐水口である。
また、リム吐水口１４の上流側のリム通水路（図示せず）は、リム部８の内部に形成されているが、このリム通水路（図示せず）の上流側は、導水管（図示せず）等を介して洗浄水源である水道（図示せず）等に接続されている。
さらに、ボウル部１０の棚部６は、リム吐水口１４から下流側に周方向に形成されており、リム吐水口１４から後方に向けて吐水（リム吐水）された洗浄水が、棚部６上に沿って周方向に導かれるようになっている。
【００１８】
さらに、図１に示すように、ボウル部１０の底部には、排水トラップ管路１２の入口部１２ａに差し向けられるようにジェット吐水口１６が形成されており、このジェット吐水口１６からも給水系機能部（図示せず）からの吐水（ジェット吐水）が行われるようになっている。
なお、本実施形態による水洗大便器１においては、リム吐水口１４によるリム吐水について水道の給水圧力を利用して行い、ジェット吐水口１６によるジェット吐水について加圧ポンプ（図示せず）を制御することにより貯水タンク（図示せず）内の洗浄水を供給する、いわゆる、ハイブリット式の水洗大便器の形態について説明するが、このような形態に限られず、他の形態についても適用可能である。また、ジェット吐水口１６によるジェット吐水について省略した形態であってもよい。
【００１９】
つぎに、図１〜図７を参照して、本発明の第１実施形態による水洗大便器１のボウル部１０の汚物受け面４の上縁部からリム部８までの部分の詳細について説明する。
まず、図４は、図２のＡ−Ａ線に沿った断面図であり、ボウル部１０の汚物受け面４の上縁部からリム部８までの部分の断面図である。
つぎに、図５は、図２のＢ−Ｂ線に沿った断面図であり、図２に示す平面視の便器本体２におけるＡ−Ａ線に沿った断面からボウル部１０の中心Ｏを中心に周方向右回りに３０°ずらしたボウル部１０の前方左側領域の断面図である。
また、図６は、図２のＣ−Ｃ線に沿った断面図であり、図２に示す平面視の便器本体２におけるＡ−Ａ線に沿った断面からボウル部１０の中心Ｏを中心に周方向右回りに６０°ずらしたボウル部１０の前方左側領域の断面図である。
さらに、図７は、図２のＤ−Ｄ線に沿った断面図であり、図２に示す平面視の便器本体２におけるＡ−Ａ線に沿った断面からボウル部１０の中心Ｏを中心に周方向右回りに９０°ずらしたボウル部１０の前方左側領域の断面図である。
ここで、本実施形態において、図２に示す平面視の便器本体２におけるＡ−Ａ線に沿った断面からボウル部１０の中心Ｏを中心に周方向左回りに３０°、６０°、及び９０°それぞれずらしたボウル部１０の前方右側領域の断面図については、図５〜図７に示すボウル部１０の前方左側領域の断面図のそれぞれと左右対称であるため、説明を省略する。
【００２０】
まず、図４〜図７に示すように、ボウル部１０は、棚部６の外縁部６ａとリム部８の下端部８ａとの間を曲面Ｒ１にて連結する連結部１８を備えている。この連結部１８は、その曲面Ｒ１の立面視における上下方向の曲率半径ρ１がボウル部１０の前部から左右両側に亘ってほぼ一定に設定されている。これにより、ボウル部１０の棚部６上を流れる洗浄水がリム部８側に膨らむことなく、洗浄水をスムーズに旋回させることができるようになっている。
なお、ここでいう曲率半径ρ１の「ほぼ一定」とは、完全な一定のみならず、ボウル部１０の棚部６上を流れる洗浄水がリム部８側へ膨らみを抑制し、洗浄水をスムーズに旋回させることができる、おおよそ一定も含むものである。
ここで、連結部１８の曲面Ｒ１の上下方向の曲率半径ρ１については、３ｍｍ〜１５ｍｍでほぼ一定に設定されることが好ましく、５ｍｍ〜１０ｍｍでほぼ一定に設定されることがより好ましい。
【００２１】
つぎに、図４〜図７に示すように、リム部８は、その内周面が立ち上がる立壁面２０を形成している。
また、図４〜図７に示すように、立壁面２０の高さＷ１〜Ｗ４については、連結部１８の上端部１８ｂに一致するリム部８の下端部８ａからリム部８の上面８ｂまでの高さに相当しており、この立壁面２０の高さＷ１〜Ｗ４は、ボウル部１０の左右両側から前方に位置するにつれて高くなるように設定されている（Ｗ１＞Ｗ２＞Ｗ３＞Ｗ４）。
ここで、図４に示す立壁面２０の高さＷ１については、例えば、３０ｍｍ〜８５ｍｍに設定されることが好ましく、５０ｍｍ〜７５ｍｍに設定されることがより好ましい。
また、図５に示す立壁面２０の高さＷ２については、例えば、２８．５ｍｍ〜８２ｍｍに設定されることが好ましく、４８．５ｍｍ〜７２ｍｍに設定されることがより好ましい。
さらに、図６に示す立壁面２０の高さＷ３については、例えば、２６．５ｍｍ〜７８ｍｍに設定されることが好ましく、４６．５ｍｍ〜６８ｍｍに設定されることがより好ましい。
また、図７に示す立壁面２０の高さＷ４については、例えば、２５ｍｍ〜７５
ｍｍに設定されることが好ましく、４５ｍｍ〜６５ｍｍに設定されることがより好ましい。
また、図４〜図７においては、棚部６の外縁部６ａと一致する連結部１８の下端部１８ａのそれぞれの高さＨ１〜Ｈ４は、この立壁面２０の高さの変化に伴って、ボウル部１０の前部から左右両側に位置するにつれて高くなっている（Ｈ１＜Ｈ２＜Ｈ３＜Ｈ４）ため、連結部１８は、ボウル部１０の前部から左右両側に位置するにつれて上昇した高さ位置Ｐ１〜Ｐ４に設定されている。
なお、本実施形態においては、立壁面２０の高さＷ１〜Ｗ４は、ボウル部１０の左右両側から前方に位置するにつれて高くなるように設定されているが、本発明はこのような形態に限られず、例えば、立壁面の高さをほぼ一定としてもよい。
【００２２】
つぎに、図４〜図７に示すように、立壁面２０は、リム部８の内周面の上側領域Ａ１及び下側領域Ａ２をそれぞれ形成する上側立壁面２０ａ及び下側立壁面２０ｂを備えており、下側立壁面２０ｂの曲率半径γ１〜γ４は、ボウル部１０の左右両側から前方に位置するにつれて小さくなるように設定されている（γ１＜γ２＜γ３＜γ４）。
ここで、図４に示す下側立壁面２０ｂの上下方向の曲率半径γ１については、例えば、３０ｍｍ〜３００ｍｍに設定されることが好ましく、８０ｍｍ〜１２０ｍｍに設定されることがより好ましい。
また、図５に示す下側立壁面２０ｂの上下方向の曲率半径γ２については、例えば、４０ｍｍ〜４００ｍｍに設定されることが好ましく、１００ｍｍ〜１４０ｍｍに設定されることがより好ましい。
さらに、図６に示す下側立壁面２０ｂの上下方向の曲率半径γ３については、例えば、５０ｍｍ〜５００ｍｍに設定されることが好ましく、１２０ｍｍ〜１６０ｍｍに設定されることがより好ましい。
また、図７に示す下側立壁面２０ｂの上下方向の曲率半径γ４については、例えば、３００ｍｍ以上に設定されることが好ましく、３００ｍｍ〜３０００ｍｍに設定されることがより好ましい。
なお、図４〜図７に示す本実施形態の水洗大便器１において、上側立壁面２０ａがその下端（下側立壁面２０ｂの上端）から上方に向かってボウル部１０の内側に傾斜した形態であるが、このような形態に限られず、上側立壁面がボウル部１０の外側に傾斜した形態であってもよいし、上側立壁面が鉛直方向に立ち上がる形態であってもよい。
【００２３】
つぎに、図１、図４〜図７に示すように、棚部６は、ボウル部１０内の外側から内側に向かって下り傾斜する傾斜面Ｂ１〜Ｂ４を備えている。この傾斜面Ｂ１〜Ｂ４の傾斜角度α１〜α４は、ボウル部１０の左右両側から前方に位置するにつれて大きくなるように設定されている（α１＞α２＞α３＞α４）。
ここで、図４に示す傾斜面Ｂ１の傾斜角度α１については、例えば、５°〜３５°に設定されることが好ましく、１０°〜２０°に設定されることがより好ましい。
また、図５に示す傾斜面Ｂ２の傾斜角度α２については、例えば、３．５°〜３０°に設定されることが好ましく、８°〜１５°に設定されることがより好ましい。
さらに、図６に示す傾斜面Ｂ３の傾斜角度α３については、例えば、２．５°〜２０°に設定されることが好ましく、５°〜１０°に設定されることがより好ましい。
また、図７に示す傾斜面Ｂ４の傾斜角度α４については、例えば、１°〜１０°に設定されることが好ましく、２°〜７°に設定されることがより好ましい。
【００２４】
また、本実施形態では、図２及び図３に示すように、ボウル部１０内の右側領域Ｒ且つ後方側領域Ｂにおいて、リム吐水口１４の下流側に形成されるリム部８の内周壁（立壁面２０）は、図２に示す平面視においてリム吐水口１４から周方向下流側に向かう距離に応じて曲率（１／ｒ）が小から大に変化する（言い換えると、曲率半径ｒが大から小に変化する）曲面を形成している曲がり部２２を備えている。
すなわち、図２に示す平面視における曲がり部２２の曲面形状については、その曲率（１／ｒ）が小から大に一定の比率で変化する（言い換えると、曲率半径ｒが大から小に一定の割合で変化する）クロソイド曲線等の緩和曲線Ｃ１によって形成されている。
なお、汚物が付着し易く且つ洗浄がし難いとされるボウル部１０内の後方側領域Ｂの洗浄をさらに強化したい場合には、図２に示す平面視における曲がり部２２の曲面形状について非緩和曲線に設定してもよく、このような非緩和曲線を形成する曲がり部により、リム吐水口１４から吐水された洗浄水をボウル部１０内の後方側領域Ｂに落とし込む流れを形成して、ボウル部１０内の後方側領域Ｂの洗浄性をさらに高めるようにしてもよい。
【００２５】
つぎに、上述した本発明の一実施形態による水洗大便器１における作用について説明する。
まず、本発明の一実施形態による水洗大便器１によれば、リム吐水口１４から吐水された洗浄水は、棚部６上に沿って流れることによりボウル部１０の周方向に導かれて旋回する流れ（旋回流）を形成する。この際、ボウル部１０の棚部６の外縁部６ａとリム部８の下端部８ａとの間を曲面Ｒ１にて連結する連結部１８について、その曲面Ｒ１の立面視における上下方向の曲率半径ρ１がボウル部１０の前部から左右両側に亘ってほぼ一定に設定されていることにより、ボウル部１０の棚部６の外縁部６ａとリム部８の下端部ａとの間を比較的小さな曲率半径ρ１で接続することができる。また、棚部６がボウル部１０内の外側から内側に向かって下り傾斜する傾斜面Ｂ１〜Ｂ４を備えており、この傾斜面Ｂ１〜Ｂ４の傾斜角度α１〜α４がボウル部１０の左右両側から前方に位置するにつれて大きくなるように設定されている（α１＞α２＞α３＞α４）。
したがって、ボウル部１０の棚部６上を流れる洗浄水がリム部８側に膨らみにくく、洗浄水をスムーズに旋回させることができる。よって、洗浄水がボウル部１０の外部へ飛び出すことを抑制することができ、或いは、洗浄水が十分に旋回しきれずにボウル部１０の内側に流れ落ちてしまうことを抑制することができる。
また、例えば、小便がぶつかりやすいボウル部１０の前方において、小便がボウル部１０の連結部１８等にぶつかった場合においても、ボウル部の前方において棚部６の傾斜面Ｂ１の傾斜角度α１が大きくなるように設定されていることにより、小便が滞留しにくく、ボウル部１０の内側に流下させることができるため、小便がボウル部１９の前方の立壁面２０を駆け上がってボウル部１０の外部へ飛び出すことを効果的に抑制することができる。
【００２６】
つぎに、本実施形態による水洗大便器１によれば、リム部８の内周面が立ち上がる立壁面２０を形成し、この立壁面２０の高さＷ１〜Ｗ４（図４〜図７参照）がボウル部１０の左右両側から前方に位置するにつれて高くなるように設定されている（Ｗ１＞Ｗ２＞Ｗ３＞Ｗ４）ことにより、ボウル部１０の棚部６上を流れる洗浄水がさらにリム部８側に膨らみにくく、洗浄水をよりスムーズに旋回させることができる。
また、特に、小便がぶつかりやすいボウル部１０の前方の立壁面２０の高さＷ１が高くなるように設定されているため、小便がボウル部１０の前方の立壁面２０を駆け上がってボウル部１０の外部へ飛び出すことをより効果的に抑制することができる。
【００２７】
また、本実施形態による水洗大便器１によれば、立壁面２０がリム部の８内周面の上側領域Ａ１及び下側領域Ａ２をそれぞれ形成する上側立壁面２０ａ及び下側立壁面２０ｂを備えており、下側立壁面２０ｂの上下方向の曲率半径γ１〜γ４（図４〜図７参照）がボウル部１０の左右両側から前方に位置するにつれて小さくなるように設定されている（γ１＜γ２＜γ３＜γ４）ことにより、ボウル部１０の棚部６上を流れる洗浄水がリム部８側にさらに膨らみにくく、洗浄水をよりスムーズに旋回させることができる。
また、特に、小便がぶつかりやすいボウル部１０の前方の立壁面２０における下側立壁面２０ｂの曲率半径γ１が小さくなるように設定されているため、小便がボウル部１０の前方の立壁面２０の下側立壁面２０ｂから上側立壁面２０ａを駆け上がってボウル部の外部へ飛び出すことをより効果的に抑制することができる。
【符号の説明】
【００２８】
１        水洗大便器
２        便器本体
４        汚物受け面
６        棚部
６ａ      棚部の外縁部
８        リム部
８ａ      リム部の下端部
８ｂ      リム部の上面
１０      ボウル部
１２      排水トラップ管路
１２ａ    入口部
１４      リム吐水口
１６      ジェット吐水口
１８      連結部
１８ａ    連結部の下端部
１８ｂ    連結部の上端部
２０      立壁面
２２      曲がり部
【図１】
2018048501.tif 000003
【図２】
2018048501.tif 000004
【図３】
2018048501.tif 000005
【図４】
2018048501.tif 000006
【図５】
2018048501.tif 000007
【図６】
2018048501.tif 000008
【図７】
2018048501.tif 000009